(57)【要約】【課題】パネル等に取り付けられた複数のコードのうち選択すべきコードが容易に識別可能なコネクタを提供する。【解決手段】コネクタ１は、周方向に設けられたコレットチャック構造の複数のスリット２８と、複数のスリット２８の後端側に設けられたネジ部２６Ａとを有するハウジング９と、ネジ部２６Ａとねじ止めされるコード押え部材１０と、発光素子２２と、複数のスリット２８のうち少なくとも２つに対応して配置される一組の端子ユニット２０と、を備えている。コード２から引き出された一対の導線４が少なくとも２つのスリット２８からそれぞれ導出可能であって、一対の導線４と一組の端子ユニット２０とがそれぞれ重なって挟持される。【選択図】図９
2014203579.tif 000002
【特許請求の範囲】
【請求項１】
コレットチャック構造の周方向に設けられた複数のスリットと、前記複数のスリットの後端側に設けられたネジ部とを有するハウジングと、
前記ネジ部とねじ止めされるコード押え部材と、
発光素子を有し、前記複数のスリットのうち少なくとも２つに対応して配置される一組の端子ユニットと、
を備え、
コードから引き出された一対の導線が前記少なくとも２つのスリットからそれぞれ導出可能であって、
前記コード押え部材を前記ネジ部にねじ止めすることにより、前記コレットチャック構造の締め付けによって前記コードが固定されるとともに、前記一対の導線と前記一組の端子ユニットとがそれぞれ重なって挟持される、コネクタ。
【請求項２】
前記一組の端子ユニットは、前記複数のスリットのうち前記コレットチャック構造における直径方向に対向する２つのスリットにそれぞれ対応して配置されている、請求項１に記載のコネクタ。
【請求項３】
前記一組の端子ユニットは、それぞれベース部を備え、
各ベース部は、前記複数のスリットのうち隣接する２つのスリットに対応して配置されている、請求項１または２に記載のコネクタ。
【請求項４】
前記一組の端子ユニットは、外部から電気的接触で導通可能な外部接触部をそれぞれ備え、
前記外部接触部は、互いに対向して設けられる前記発光素子と直交する位置に配置されている、請求項１から３のいずれか一項に記載のコネクタ。
【請求項５】
請求項１から４のいずれか一項に記載のコネクタと、
前記一対の導線と前記一組の端子ユニットとが接触した状態で前記コネクタに固定される前記コードと、
を備えている、コード付きコネクタ。
【請求項６】
請求項１から４のいずれか一項に記載のコネクタを挿入可能な複数のコネクタ挿入口を備えるパネル面と、
前記コネクタ挿入口を挟み込むように前記パネル面から前方に向かって延びる一対の腕部と、
前記パネル面に設けられ、前記一対の腕部と電気的に接続される発光素子と、
を備え、
前記一対の腕部は前記コネクタの前記一組の端子ユニットに設けられる外部接触部と電気的に接続可能である、光パネル。
【発明の詳細な説明】
【技術分野】
【０００１】
本発明は、コードの端部に取り付けられるコネクタ、コード付きコネクタおよび光パネルに関する。
【背景技術】
【０００２】
回路基板等からなるカードが収容されるサブラックが特許文献１に開示されている。サブラックは、筒状の筺体と、筺体の前面に設けられる前面パネル部と、筺体内に収容される光用の複数のカードとにより構成されている。このサブラックの前面パネル部には、光ファイバ接続部が設けられており、この光ファイバ接続部に光ファイバケーブルの光コネクタが接続されている。
【先行技術文献】
【特許文献】
【０００３】
【特許文献１】実用新案登録３０７９４７３号公報
【発明の概要】
【発明が解決しようとする課題】
【０００４】
光ファイバ接続部には多数のコード（光ファイバケーブル等）が接続されるため、配線された多数のコードの中から選択すべきコードを特定することが困難である。
【０００５】
本発明は、パネル等に取り付けられる多数のコードのうち選択すべきコードを容易に識別可能なコネクタ、コード付きコネクタおよび光パネルを提供することを目的とする。
【課題を解決するための手段】
【０００６】
上記の目的を達成するために、本発明のコネクタは、
コレットチャック構造の周方向に設けられた複数のスリットと、前記複数のスリットの後端側に設けられたネジ部とを有するハウジングと、
前記ネジ部とねじ止めされるコード押え部材と、
発光素子を有し、前記複数のスリットのうち少なくとも２つに対応して配置される一組の端子ユニットと、
を備え、
コードから引き出された一対の導線が前記少なくとも２つのスリットからそれぞれ導出可能であって、
前記コード押え部材を前記ネジ部にねじ止めすることにより、前記コレットチャック構造の締め付けによって前記コードが固定されるとともに、前記一対の導線と前記一組の端子ユニットとがそれぞれ重なって挟持される。
【０００７】
上記の目的を達成するために、本発明のコード付きコネクタは、
前記コネクタと、
前記一対の導線と前記一組の端子とが接触した状態で前記コネクタに固定される前記コードと、
を備えている。
また、上記の目的を達成するために、本発明の光パネルは、
前記コネクタを挿入可能な複数のコネクタ挿入口を備えるパネル面と、
前記コネクタ挿入口を挟み込むように前記パネル面から前方に向かって延びる一対の腕部と、
前記パネル面に設けられ、前記一対の腕部と電気的に接続される発光素子と、
を備え、
前記一対の腕部は前記コネクタの前記一組の端子ユニットに設けられる外部接触部と電気的に接続可能である。
【発明の効果】
【０００８】
本発明によれば、パネル等に取り付けられた複数のコードのうち特定のコードを選択するときに選択すべきコードが容易に識別可能なコネクタを提供することができる。
【図面の簡単な説明】
【０００９】
【図１】本発明の一実施形態である光コネクタおよび光コードを示す側面図である。
【図２】図１の光コネクタの分解図である。
【図３】図１の光コネクタの断面図である。
【図４】図１の光コネクタを構成する端子ユニットを示す斜視図である。
【図５】図４の端子ユニットを示す正面図である。
【図６】図１の光コードを示す断面図である。
【図７】光コードが光コネクタに固定された状態を示す断面図である。
【図８】光コードが光コネクタに固定された状態を示す正面図である。
【図９】光コネクタへの光コードの固定方法を示す模式図である。
【図１０】光コネクタへの光コードの固定方法を示す模式図である。
【図１１】光コネクタが接続される光パネルを示す正面図である。
【図１２】図１１の光パネルのコネクタ挿入口および発光素子を示す図である。
【図１３】図１１の光パネルに光コネクタが接続された状態を示す側面図である。
【図１４】変形例に係る光コネクタへの光コードの固定方法を示す模式図である。
【図１５】変形例に係る光コードを示す断面図である。
【発明を実施するための形態】
【００１０】
[本願発明の実施形態の説明]
最初に本願発明の実施形態の内容を列記して説明する。
本願発明の実施形態に係るコネクタは、
（１）コレットチャック構造の周方向に設けられた複数のスリットと、前記複数のスリットの後端側に設けられたネジ部とを有するハウジングと、
前記ネジ部とねじ止めされるコード押え部材と、
発光素子を有し、前記複数のスリットのうち少なくとも２つに対応して配置される一組の端子ユニットと、
を備え、
コードから引き出された一対の導線が前記少なくとも２つのスリットからそれぞれ導出可能であって、
前記コード押え部材を前記ネジ部にねじ止めすることにより、前記コレットチャック構造の締め付けによって前記コードが固定されるとともに、前記一対の導線と前記一組の端子ユニットとがそれぞれ重なって挟持される。
本構成によれば、パネル等に取り付けられた複数のコードのうち特定のコードを選択するときに選択すべきコードが容易に識別可能なコネクタを提供することができる。
【００１１】
（２）前記一組の端子ユニットは、前記複数のスリットのうち前記コレットチャック構造における直径方向に対向する２つのスリットにそれぞれ対応して配置されていることが好ましい。
いずれの方向からもコネクタに備わる発光素子が視認可能である。
【００１２】
（３）前記一組の端子ユニットは、それぞれベース部を備え、各ベース部は、前記複数のスリットのうち隣接する２つのスリットに対応して配置されていることが好ましい。
コードから引き出された一対の導線を複数のスリットのうち、いかなるスリットから導出させても、導線と端子ユニットを接触させることができる。
【００１３】
（４）前記一組の端子ユニットは、外部から電気的接触で導通可能な外部接触部をそれぞれ備え、
前記外部接触部は、互いに対向して設けられる発光素子と直交する位置に配置されていることが好ましい。
外部からテスタ等を外部接触部に接触させることで、発光素子に容易に給電可能である。
【００１４】
本願発明の実施形態に係るコード付きコネクタは、
（５）上記（１）〜（４）のいずれかに記載のコネクタと、
前記一対の導線と前記一組の端子ユニットとが接触した状態で前記コネクタに固定される前記コードと、
を備えている。
選択すべきコードが容易に識別可能なコード付きコネクタを提供することができる。
【００１５】
本願発明の実施形態に係る光パネルは、
（５）上記（１）から（４）のいずれかに記載のコネクタを挿入可能な複数のコネクタ挿入口を備えるパネル面と、
前記コネクタ挿入口を挟み込むように前記パネル面から前方に向かって延びる一対の腕部と、
前記パネル面に設けられ、前記一対の腕部と電気的に接続される発光素子と、
を備え、
前記一対の腕部は前記コネクタの前記一組の端子ユニットに設けられる外部接触部と電気的に接続可能である。
コネクタの発光素子とともに光パネルの発光素子も点灯されるため、選択すべきコードの識別をより容易に行うことができる。
【００１６】
[本願発明の実施形態の詳細]
以下、添付図面を参照して、本発明の好適な実施形態について詳細に説明する。なお、図面の説明において同一又は相当要素には同一符号を付し、重複する説明は省略する。
【００１７】
図１は、本発明の一実施形態に係る光コネクタを示す側面図である。図２は、図１に示す光コネクタの分解図である。図３は、図１に示す光コネクタの断面図である。
【００１８】
各図において、光コネクタ１（コネクタの一例）は、光コード２（コードの一例）が組み付けられたコード型ＳＣコネクタである。光コード２は、光ファイバ素線３と、光ファイバ素線３を挟むように設けられた一対の導線４と、この光ファイバ素線３および一対の導線４を被覆する外被５とを有している（図６参照）。光コード２の詳細については後述する。
【００１９】
図１および図２に示すように、光コネクタ１は、フェルール６と、このフェルール６を保持するプラグフレーム７と、プラグフレーム７を収容するプラグハウジング８と、プラグハウジング８の後端側に連結されるとともに、プラグフレーム７が連結されるリアハウジング９と、リアハウジング９に装着されるコード押さえ部材１０と、コード押さえ部材１０に取り付けられるブーツ１１と、リアハウジング９とコード押さえ部材１０との間に配置される端子ユニット２０と、を備えている。
【００２０】
フェルール６は、フェルール本体１４と、このフェルール本体１４に固定されたフランジ部１５とを有している。フェルール本体１４にはその周方向の中央部に、光コード２から引き出された光ファイバ素線３からさらに露出されたガラスファイバが挿入される不図示の挿入孔がフェルール本体１４の長手方向に沿って設けられている。
【００２１】
プラグフレーム７は、中空の部材であり、フェルール６を保持する。プラグフレーム７は、リアハウジング９に連結して固定されている。
【００２２】
プラグフレーム７とリアハウジング９との間には、ばね２４が配置されている。光コネクタ１が組み立てられた状態では、ばね２４は、プラグフレーム７の内部に収容されている（図３参照）。
【００２３】
リアハウジング９は、大筒状部２５と、この大筒状部２５の後側に設けられた小筒状部２６とを有している。小筒状部２６の径は、大筒状部２５の径よりも小さくなっている。小筒状部２６の外周には雄ネジ（ネジ部の一例）２６Ａが形成されている。小筒状部２６には、その長手方向に沿って、光コード２の外被５を固定するための複数のスリット２８が形成されている。本例においては、複数のスリット２８は、小筒状部２６の周方向に沿って十字状に設けられており、いわゆるコレットチャック構造となるように構成されている（図８参照）。
【００２４】
このようなリアハウジング９には、コード押さえ部材１０が装着されている。コード押さえ部材１０は、略筒状をなし、その内周部には雄ネジ２６Ａとねじ止めされる雌ねじ１０Ａが形成されている。コード押さえ部材１０は、リアハウジング９の後側に対して先細りとなるようにテーパ状に形成されている。従って、コード押さえ部材１０の後端の開口径は、コード押さえ部材１０の前端の開口径よりも小さくなっている。このコード押さえ部材１０は、リアハウジング９の小筒状部２６を介して光コード２の外被５を固定するものである。
【００２５】
コード押さえ部材１０の外周には、ブーツ１１が装着される。ブーツ１１は、リアハウジング９の後方において光コード２に急激な曲げが作用しないように光コード２を保護するものである。
【００２６】
リアハウジング９の後側には、端子ユニット２０が装着されている。図４および図５に示されるように、端子ユニット２０は、金属製のベース部２１と、発光素子２２とを有している。
ベース部２１は、第１のベース部２１Ａと、第２のベース部２１Ｂとを備えている。第１のベース部２１Ａと第２のベース部２１Ｂとは、互いに同一の形状であって、互いに点対称の位置に配置されている。第１のベース部２１Ａおよび第２のベース部２１Ｂは、内側に突出する導線接触部２１ａおよび導線接触部２１ｂをそれぞれ備えている。導線接触部２１ａ，２１ｂは、リアハウジング９の小筒状部２６に設けられた４つのスリット２８のうち少なくとも２つにそれぞれ対応して配置されている。また、本例においては、導線接触部２１ａ，２１ｂを含む各ベース部２１Ａ，２１Ｂは、複数のスリット２８のうち隣接する２つのスリット２８にそれぞれ対応して配置されている。
【００２７】
発光素子２２は、ベース部２１の周方向において、第１のベース部２１Ａと第２のベース部２１Ｂとの間に設けられている。本例においては、光コネクタ１の上下方向のどちらからでも発光素子２２が視認できるように、２つの発光素子２２が設けられている。
【００２８】
また、ベース部２１において、第１のベース部２１Ａおよび第２のベース部２１Ｂの発光素子２２が互いに対向して搭載される面と直交する面には、外部接触部２３Ａ，２３Ｂが設けられている。外部接触部２３Ａ，２３Ｂは、光コネクタ１を組み立てた際に外部に露出される。そのため、外部からテスタ等を外部接触部２３Ａ，２３Ｂに電気的に接触させることで、ベース部２１への導通が可能となる。
【００２９】
次に、光コネクタ１に組み付けられる光コード２の一例について図６を参照して説明する。
上述のように、光コード２は、光ファイバ素線３と、光ファイバ素線３を挟むように設けられた一対の導線４と、この光ファイバ素線３および一対の導線４を被覆する外被５とを有している。
【００３０】
光ファイバ素線３は、コアとクラッドを有するガラスファイバの周囲に紫外線硬化型樹脂 （ＵＶ樹脂）が被覆され、その外径が２５０μｍとされている。
【００３１】
一対の導線４は、横断面で見て光ファイバ素線３の両側にそれぞれ配置されている。各導線４は、例えば複数（本例においては７本）の金属線４ａを撚り合わせてなる撚線から構成されている。金属線４ａとしては、例えば導電性が高い軟銅線が用いられる。７本の金属線４ａを撚り合わせてなる導線４の外径は、例えば０．４８ｍｍ以上〜０．６５ｍｍ未満とされている。すなわち、導線４のサイズは、ＡＷＧ（American Wire Gauge）２４〜ＡＷＧ２６であることが好ましい。導線４がＡＷＧ２４よりも太径であると光コード２の構造上の規定寸法を満たすことができない。また、導線４がＡＷＧ２６よりも細径であると光コード２の許容張力を満たすことができない。
なお、導線４を単線の金属線から構成してもよい。単線から構成される導線４の場合は、その外径が０．４２ｍｍ以上〜０．６５ｍｍ未満（ＡＷＧ２２〜ＡＷＧ２５）としておくことが好ましい。
【００３２】
光ファイバ素線３および一対の導線４の周囲を覆う外被５は、樹脂から構成される。外被５を構成する樹脂としては、特に、難燃ポリエチレンが用いられることが好ましい。光コード２の取扱いの容易さの観点から、外被５のヤング率は５〜２０Ｍｐａ程度であることが好ましい。外被５の外周において、光ファイバ素線３と一対の導線４とを結ぶ直線と直交する方向に、一対のノッチ５ａが設けられている。ノッチ５ａを含まない部分における外被５の直径は約２ｍｍである。この直径は１．５ｍｍ〜２．８ｍｍであることが好ましい。一対のノッチ５ａにより、光ファイバ素線３と一対の導線４との配置関係を外部から容易に把握でき、光ファイバ素線３と一対の導線４とを傷つけることなく外被５を除去することができる。
【００３３】
このように構成された光コード２は、図７に示すように、その端部において外被５が除去されて光ファイバ素線３と一対の導線４が露出されている。光コード２から引き出された一対の導線４は、リアハウジング９に設けられた複数のスリット２８のうち図８の上下方向に設けられた２つのスリット２８から外部へ導出されている。この一対の導線４は、図８に示されるように、端子ユニット２０の第１のベース部２１Ａおよび第２のベース部２１Ｂにそれぞれ設けられた導線接触部２１ａ，２１ｂとそれぞれ接触した状態でコード押さえ部材１０により固定されている。
【００３４】
次に、以上のように構成した光コネクタ１を組み立て、光コード２を固定する手順について説明する。まず、プラグフレーム７、ばね２４、リアハウジング９および端子ユニット２０を仮組み立てし、これらの部品に光コード２を通す。さらに、コード押さえ部材１０及びブーツ１１にも光コード２を通しておく。
【００３５】
続いて、光コード２の先端部分の外被５を除去して、光ファイバ素線３および一対の導線４を露出させる。続いて、光ファイバ素線３から露出したガラスファイバをフェルール６の挿入孔から挿入する。
【００３６】
続いて、プラグフレーム７、ばね２４、リアハウジング９および端子ユニット２０が組み立てられた部品を露出された光ファイバ素線３の位置まで移動させる。そして、フェルール６をプラグフレーム７に収容する。このとき、光コード２から露出された一対の導線４をリアハウジング９のスリット２８から外部へ導出しておく。これにより、図９に示す状態となる。
【００３７】
続いて、図１０に示すように、リアハウジング９の小筒状部２６により光コード２の外被５の先端部を覆った状態で、小筒状部２６に形成された雄ネジ２６Ａをコード押さえ部材１０の雌ネジ１０Ａにねじ止めする。このとき、コード押さえ部材１０は、リアハウジング９の後側に対して先細りとなるようにテーパ状に形成されているため、複数のスリット２８が設けられた小筒状部２６は、コード押さえ部材１０に押されて内側に曲がるようになる。これにより、小筒状部２６に外被５が挟み込まれて強く固定される。
また、スリット２８から外部へ導出される一対の導線４は、端子ユニット２０に接触した状態で挟持される。
【００３８】
続いて、ブーツ１１をコード押さえ部材１０に装着するとともに、プラグフレーム７およびリアハウジング９の外周にプラグハウジング８を装着する。そして、リアハウジング９のスリット２８から外部に飛び出している一対の導線４を切断する。以上により、図１に示すような光コネクタ１が完成する。
【００３９】
以上説明したように、本実施形態に係る光コネクタ１は、コレットチャック構造の周方向に設けられた複数のスリット２８と、複数のスリット２８の後端側に設けられた雄ネジ２６Ａとを有するリアハウジング９と、雄ネジ２６Ａとねじ止めされるコード押え部材１０と、発光素子２２を有し、複数のスリット２８のうち少なくとも２つに対応して配置される一組の端子ユニット２０と、を備えている。そして、光コード２から引き出された一対の導線４が少なくとも２つのスリット２８からそれぞれ導出可能であって、コード押え部材１０に雄ネジ２６Ａをねじ止めすることにより、コレットチャック構造の締め付けによって光コード２が固定されるとともに、一対の導線４と一組の端子ユニット２０とがそれぞれ重なって挟持される。
この構成の光コネクタ１によれば、後述の光パネル１００（図１１〜１３参照）等に取り付けられた複数の光コード２のうち特定の光コード２を選択するときに、発光素子２２を発光させることで、選択すべき光コード２が容易に識別可能である。例えば、光コード２の両端に光コネクタ１を取り付けておくことで、片端側の光コネクタ１の端子ユニット２０に給電すれば、両端の光コネクタ１の発光素子２２が発光する。これにより、１つの光コード２の両端の対応関係を識別することができる。
また、本実施形態によれば、発光素子２２を有する一組の端子ユニット２０をリアハウジング９とコード押え部材１０との間に設けるだけの簡便な構成で光コネクタ１を提供することができる。そのため、光コネクタ１の小型化と部品点数の削減も実現することができる。
【００４０】
また、本実施形態においては、一組の端子ユニット２０は、複数のスリット２８のうちコレットチャック構造における直径方向に対向する２つのスリット２８にそれぞれ対応して配置されている。この構成によれば、いずれの方向からも光コネクタ１に備わる発光素子２２が視認可能となる。
【００４１】
また、本実施形態においては、一組の端子ユニット２０は、それぞれ第１のベース部２１Ａおよび第２のベース部２１Ｂを備え、各ベース部２１Ａ，２１Ｂは、複数のスリット２８のうち隣接する２つのスリット２８に対応して配置されている。この構成によれば、光コード２から引き出された一対の導線４を複数のスリット２８のうち、いかなるスリット２８から導出させても、導線４と端子ユニット２０を適切に接触させることができる。
【００４２】
また、本実施形態においては、一組の端子ユニット２０は、外部から電気的接触で導通可能な外部接触部２３Ａ，２３Ｂをそれぞれ備え、外部接触部２３Ａ，２３Ｂは、互いに対向して設けられる発光素子２２と直交する位置に配置されている。この構成によれば、外部からテスタ等を外部接触部２３Ａ，２３Ｂに接触させることで、発光素子２２に容易に給電可能である。
【００４３】
また、本実施形態においては、一対の導線４が軟銅線からなる金属線４ａにより構成されている。この構成によれば、一対の導線４が比較的軟らかい抗張力体として機能するとともに、光コード２と端子ユニット２０との間での導電をスムーズに行うことができる。
【００４４】
また、本実施形態においては、一対の導線４が複数本の金属線４ａを撚り合わせた撚線から構成されている。この構成によれば、光コード２から露出された一対の導線４がリアハウジング９のスリット２８から外部へ導出され、コード押え部材１０により一対の導線４が固定される際に、導線４の破断や断線を防ぐことができる。そのため、一対の導線４の抗張力性を維持しながら、光コード２の取扱性を向上させることができる。
【００４５】
また、本実施形態においては、光コード２の許容張力を満たすとともに光コード２の構造上の制約の観点から、各導線４のサイズは、ＡＷＧ２４〜ＡＷＧ２６とされている。
【００４６】
次に、図１１〜１３を参照して、光コネクタ１が取り付けられる光パネル１００について説明する。光パネル１００は、不図示の光キャビネットあるいは光接続箱と呼ばれる筺体の前面部に設けられている部材である。
図１１に示すように、光パネル１００は、その前面であるパネル面１０１Ａに、複数のコネクタ挿入口１０１と、発光素子１０２とを備えている。
コネクタ挿入口１０１は、２つのコネクタ挿入口１０１が一組とされ、この一組のコネクタ挿入口１０１が複数個（本例においては、１２個）並列されている。一組のコネクタ挿入口１０１は、正面から見て傾いた状態（図１１においては、右上がりに傾いた状態）で配置され、一組のコネクタ挿入口１０１同士が上下方向において一部重なるように配列されている。発光素子１０２は、各コネクタ挿入口１０１の近傍に配置されている。各発光素子１０２の近傍には、番号１〜２４が付されている。図１２に示すように、一組のコネクタ挿入口１０１において、一方のコネクタ挿入口１０１に対応する発光素子１０２は当該コネクタ挿入口１０１の下部に配置され、他方のコネクタ挿入口１０１に対応する発光素子１０２は当該コネクタ挿入口１０１の上部に配置されている。
【００４７】
このような光パネル１００の各コネクタ挿入口１０１に上述の光コネクタ１が挿入される。図１３に示すように、光パネル１００からは前方に向けて突出された一対の腕部１０３が設けられている。各腕部１０３は、導体（金属）により形成されており、その前方側の先端部１０４が互いに近づくように湾曲している。各腕部１０３は、各コネクタ挿入口１０１に挿入された光コネクタ１の端子ユニット２０の外部接触部２３Ａ，２３Ｂと湾曲部１０４において接触し、電気的に接続されている。また、片方の腕部１０３の光パネル１００側の端部は光パネル１００上の発光素子１０２と電気的に接続されている。これにより、光コネクタ１の発光素子２２が点灯されると、光コネクタ１が挿入されたコネクタ挿入口１０１に対応する発光素子１０２も点灯されることとなる。
【００４８】
この構成によれば、光コネクタ１の発光素子２２とともに光パネル１００上の発光素子１０２も点灯されるため、選択すべき光コード２の識別をより容易に行うことができる。また、一対の腕部１０３の湾曲部１０４が外部接触部２３Ａ，２３Ｂを挟み込むように接触するため、光コネクタ１の脱落防止にも効果を発揮する。さらに、コネクタ挿入口１０１および発光素子１０２を図１１に示したような配置とすることにより、コネクタ挿入口１０１および発光素子１０２を光パネル１００内の小さなスペースに配置可能であるとともに、並列された隣りのコネクタ挿入口１０１に対応した発光素子１０２との誤認を防止することができる。
【００４９】
本実施形態で用いられる光コードについて、各導線の構成と、引張強度との関係を測定した。
外径が２５０μｍの光ファイバ素線と、軟銅線を撚り合わせた撚線から構成されるＡＷＧ２０（太径）〜ＡＷＧ３０（細径）の導線を用い、これらを外被により覆うことで、図６に示されるように２本の導線が含まれている光コードを作成した。そして、それぞれの光コードについて引張強度を測定した。その結果を表１に示す。
【００５０】
【表１】
2014203579.tif 000003
【００５１】
本実施形態における光コードの許容張力は９８Ｎ以上である。また、光コードの構造上、各導線の外径（撚線径）は０．６７ｍｍ以下とされている。以上より、表１に示されるように、２本の導線を含む光コードが用いられる本実施形態においては、各導線のサイズはＡＷＧ２４〜ＡＷＧ２６であることが好適であると確認できた。
【００５２】
以上、本発明を詳細にまた特定の実施態様を参照して説明したが、本発明の精神と範囲を逸脱することなく様々な変更や修正を加えることができることは当業者にとって明らかである。また、上記説明した構成部材の数、位置、形状等は上記実施の形態に限定されず、本発明を実施する上で好適な数、位置、形状等に変更することができる。
【００５３】
例えば、図１４に示すように、光コード２の導線４をリアハウジング９に設けられているスリット２８から導出させた後に、リアハウジング９に端子ユニット２０を取り付ける構成を採用してもよい。
具体的には、まず、図１４（ａ）に示すように、プラグフレーム７、ばね２４およびリアハウジング９を仮組み立てし、これらの部品に光コード２を通す。さらに、端子ユニット２０、コード押さえ部材１０およびブーツ１１にも光コード２を通しておく。
続いて、光コード２から露出された光ファイバ素線３からさらに露出されたガラスファイバをフェルール６に挿入し、フェルール６をプラグフレーム７に収容する。
次に、光コード２から露出された一対の導線４をリアハウジング９のスリット２８から外部へ導出し、その後、図１４（ｂ）に示すように、端子ユニット２０をリアハウジング９の後端部に取り付ける。このとき、一対の導線４がリアハウジング９と端子ユニット２０との間で挟持されるべく、端子ユニット２０のベース部２１Ａ，２１Ｂに一対の導線４が挿通されるための不図示のスリットが設けられていることが好ましい。
続いて、図１４（ｃ）に示すように、リアハウジング９の小筒状部２６により光コード２の外被５の先端部を覆った状態で、リアハウジング９にコード押さえ部材１０を取り付けて、光コード２の外被５を固定する。
最後に、ブーツ１１をコード押さえ部材１０に装着するとともに、プラグフレーム７およびリアハウジング９の外周にプラグハウジング８を装着し、リアハウジング９のスリット２８から外部に飛び出している一対の導線４を切断する。以上により、光コネクタ１Ａが完成する。
この構成によっても、上記実施形態と同様に、複数の光コード２のうち特定の光コード２を選択するときに、発光素子２２を発光させることで、選択すべき光コード２が容易に識別可能である。
【００５４】
また、上記の実施形態では、光コード２として、図６に図示される構成を説明したが、光コード２の例はこれに限られない。例えば、図１５に示すように、光コード２Ａとして、光ファイバ心線１３と、複数の金属線４ａを撚り合わせてなる撚線から構成される一対の導線４と、光ファイバ心線１３および一対の導線４を被覆する外被５とを有するとともに、光ファイバ心線１３の周囲を抗張力繊維１３ａにより覆う構成を採用してもよい。この構成によれば、光ファイバ心線１３を抗張力繊維１３ａにより保護することで、耐屈曲性により優れた光コード２Ａを提供することができる。なお、上記光ファイバ心線１３の例としては、光ファイバ素線３の外周に難燃ポリエチレンが被覆され、その外径が約０.９ｍｍとされているものが用いられる。
なお、図示は省略するが、光コードとして、中央に抗張力体が設けられるとともにその両側に２本の光ファイバ心線が並列された光ファイバテープ心線や、中央に抗張力体が設けられるとともにその周囲を覆うように複数の光ファイバ心線が１層または２層に設けられた光ファイバケーブル等を用いることもできる。
【００５５】
また、上記の実施形態では、一対の導線４がリアハウジング９の複数のスリット２８のうち図８の上下方向に設けられた２つのスリット２８から外部へ導出される構成としているが、この例に限られない。例えば、一対の導線４が図８の左右方向に設けられた２つのスリット２８から外部へ導出される構成としてもよい。このとき、一対の導線４は、端子ユニット２０の第１のベース部２１Ａおよび第２のベース部２１Ｂにそれぞれ接触した状態でコード押さえ部材１０により固定される。また、一対の導線４は、複数のスリット２８のうち隣接する２つのスリット２８からそれぞれ外部に導出されてもよい。このように、本例においては、一対の導線４が複数のスリット２８のうちいずれのスリット２８から導出された場合も、端子ユニット２０と一対の導線４とが接触した状態で固定されるため、光コネクタ１へ光コード２を固定する際の自由度を高めることができる。
【００５６】
また、上記の実施形態では、光コネクタ１について説明したが、電気コードの配線時に使用される電気コネクタの構成として上記実施形態の構成を採用してもよい。この構成によれば、複数の電気コードのうち選択すべき電気コードを容易に識別可能な電気コネクタを提供することができる。
【００５７】
１：光コネクタ（コネクタの一例）
２，２Ａ，２Ｂ：光コード（コードの一例）
３：光ファイバ素線
４：導線
４ａ：金属線
５：外被
６：フェルール
７：プラグフレーム
８：プラグハウジング
９：リアハウジング
１０：コード押え部材
１０Ａ：雌ネジ
１１：ブーツ
１３：光ファイバ心線
１３ａ：抗張力繊維
１４：フェルール本体
１５：フランジ部
１６：雄ねじ
２０：端子ユニット
２１Ａ，２１Ｂ：ベース部
２１ａ，２１ｂ：導線接触部
２２，２２Ａ：発光素子
２３Ａ，２３Ｂ：外部接触部
２４：ばね
２５：大筒状部
２６：小筒状部
２６Ａ：雄ネジ（ネジ部）
２８：スリット
１００：光パネル
１０１Ａ：パネル面
１０１：コネクタ挿入口
１０２：発光素子
１０３：一対の腕部
【図１】
2014203579.tif 000004
【図２】
2014203579.tif 000005
【図３】
2014203579.tif 000006
【図４】
2014203579.tif 000007
【図５】
2014203579.tif 000008
【図６】
2014203579.tif 000009
【図７】
2014203579.tif 000010
【図８】
2014203579.tif 000011
【図９】
2014203579.tif 000012
【図１０】
2014203579.tif 000013
【図１１】
2014203579.tif 000014
【図１２】
2014203579.tif 000015
【図１３】
2014203579.tif 000016
【図１４】
2014203579.tif 000017
【図１５】
2014203579.tif 000018